(57)【要約】【課題】セルの光路長を補正し、再現性の高い測定が可能な分光光度計および吸光光度測定法を提供することを課題とする。【解決手段】本発明による分光光度計は、セルの光路長が既知である第一のセルにおける光路長測定用溶液の吸光度および前記第一のセルの光路長を用いて、セルの光路長が未知である第二のセルの光路長を求め、前記第一のセルの光路長の逆数から、前記第二のセルの光路長を補正するための係数である光路長補正係数を求め、前記光路長補正係数を用いて試料の吸光度を補正すること、を特徴とする。【選択図】図４
2013186004.tif 000002
【特許請求の範囲】
【請求項１】
光源と、光源からの光を分光する分光器と、測定対象の試料を収容するセルと、前記試料を通過した光を検出する光検出器と、前記光検出器が検出したデータを処理および／または記憶するデータ処理・記憶部とを有する分光光度計であって、
前記光検出器は、
前記セルの光路長が既知である第一のセルおよび前記セルの光路長が未知である第二のセルを用いて、前記セルの光路長を吸光度から算出するための溶液である光路長測定用溶液の吸光度および試料溶液の吸光度を測定し、
前記データ処理・記憶部は、
前記第一のセルにおける前記光路長測定用溶液の吸光度および前記第一のセルの光路長を用いて、前記第二のセルの光路長を求め、前記第一のセルの光路長の逆数から、前記第二のセルの光路長を補正するための係数である光路長補正係数を求め、
前記光路長補正係数を用いて前記試料の吸光度を補正すること、
を特徴とする、分光光度計。
【請求項２】
前記光検出器は、
前記光路長測定用溶液の溶媒のみの試料であるブランク試料の吸光度を測定し、
前記データ処理・記憶部は、
前記光路長測定用溶液の吸光度および前記光路長測定用溶液のブランク試料の吸光度の差分から、前記第二のセルの光路長を求めること、
を特徴とする、請求項１に記載の分光光度計。
【請求項３】
前記光検出器は、
前記試料溶液の溶媒のみの試料であるブランク試料の吸光度を測定し、
前記データ処理・記憶部は、
前記試料溶液の吸光度および前記試料溶液のブランク試料の吸光度の差分から、前記試料の吸光度を求めること、
を特徴とする、請求項１または請求項２に記載の分光光度計。
【請求項４】
前記第一のセルの光路長は、一般に公表されている値である公称値であること、
を特徴とする、請求項１ないし請求項３のいずれか１項に記載の分光光度計。
【請求項５】
前記光路長測定用溶液は、二クロム酸カリウム水溶液、二クロム酸カリウムの過塩素水溶液、無機塩類の水溶液および有機色素の水溶液から選ばれるいずれかであること、
を特徴とする、請求項１ないし請求項４のいずれか１項に記載の分光光度計。
【請求項６】
前記光検出器は、
前記吸光度の測定において、複数波長において測定を行い、
前記データ処理・記憶部は、
前記複数波長における吸光度から、吸収スペクトルを求め、
前記光路長補正係数を求め、当該光路長補正係数を用いて前記複数波長における波長ごとに、前記試料の吸光度を補正し、吸収スペクトルを補正すること、
を特徴とする、請求項１ないし請求項５のいずれか１項に記載の分光光度計。
【請求項７】
前記データ処理・記憶部は、
補正後の前記試料の吸光度から透過率を求め、当該透過率から透過スペクトルを求めること、
を特徴とする、請求項６に記載の分光光度計。
【請求項８】
光源と、光源からの光を分光する分光器と、測定対象の試料を収容するセルと、前記試料を通過した光を検出する光検出器と、前記光検出器が検出したデータを処理および／または記憶するデータ処理・記憶部とを有する分光光度計の吸光光度測定法であって、
前記分光光度計の光検出器は、
前記セルの光路長が既知である第一のセルおよび前記セルの光路長が未知である第二のセルを用いて、前記セルの光路長を吸光度から算出するための溶液である光路長測定用溶液の吸光度および試料溶液の吸光度を測定し、
前記データ処理・記憶部は、
前記第一のセルにおける前記光路長測定用溶液の吸光度および前記第一のセルの光路長を用いて、前記第二のセルの光路長を求め、前記第一のセルの光路長の逆数から、前記第二のセルの光路長を補正するための係数である光路長補正係数を求め、
前記光路長補正係数を用いて前記試料の吸光度を補正すること、
を特徴とする、吸光光度測定法。
【請求項９】
前記分光光度計の光検出器は、
前記光路長測定用溶液の溶媒のみの試料であるブランク試料の吸光度を測定し、
前記分光光度計のデータ処理・記憶部は、
前記光路長測定用溶液の吸光度および前記光路長測定用溶液のブランク試料の吸光度の差分から、前記第二のセルの光路長を求めること、
を特徴とする、請求項８に記載の吸光光度測定法。
【請求項１０】
前記分光光度計の光検出器は、
前記試料溶液の溶媒のみの試料であるブランク試料の吸光度を測定し、
前記分光光度計のデータ処理・記憶部は、
前記試料溶液の吸光度および前記試料溶液のブランク試料の吸光度の差分から、前記試料の吸光度を求めること、
を特徴とする、請求項８または請求項９に記載の吸光光度測定法。
【請求項１１】
前記第一のセルの光路長は、一般に公表されている値である公称値であること、
を特徴とする、請求項８ないし請求項１０のいずれか１項に記載の吸光光度測定法。
【請求項１２】
前記光路長測定用溶液は、二クロム酸カリウム水溶液、二クロム酸カリウムの過塩素水溶液、無機塩類の水溶液および有機色素の水溶液から選ばれるいずれかであること、
を特徴とする、請求項８ないし請求項１１のいずれか１項に記載の吸光光度測定法。
【請求項１３】
前記分光光度計の光検出器は、
前記吸光度の測定において、複数波長において測定を行い、
前記分光光度計のデータ処理・記憶部は、
前記複数波長における吸光度から、吸収スペクトルを求め、
前記光路長補正係数を求め、当該光路長補正係数を用いて前記複数波長における波長ごとに、前記試料の吸光度を補正し、吸収スペクトルを補正すること、
を特徴とする、請求項８ないし請求項１２のいずれか１項に記載の吸光光度測定法。
【請求項１４】
前記分光光度計のデータ処理・記憶部は、
補正後の前記試料の吸光度から透過率を求め、当該透過率から透過スペクトルを求めること、
を特徴とする、請求項１３に記載の吸光光度測定法。
【発明の詳細な説明】
【技術分野】
【０００１】
本発明は、分光光度計および吸光光度測定法に関する。
【背景技術】
【０００２】
分光光度計は、光源の発する白色光をフィルターまたは分光器を用いて単色光化し、その単色光の波長を変化させながら試料に照射し、試料による単色光の反射や吸収を検知し、試料の定性および定量分析を行うものである。
【０００３】
分光光度計では、測定対象である試料を収容するセルを複数設置可能な多連装セルホルダが使用されている。この多連装セルホルダは、複数のセルが設置可能なため、分光光度計の自動測定機能と組み合わせることにより、迅速な測定が可能となる。
【０００４】
セルは一定の光路長を持っており、一般的には光路長が１０ｍｍの角セルが使用される。しかし、セルの光路長には個体差があり、同じロット内であってもわずかに異なる。複数のセルを用いて測定する場合、セルの光路長の個体差が、測定の再現性低下を引き起こしていた。
【０００５】
セルの光路長の個体差を補正する技術や複数のセルを用いて測定する技術については、次のようなものがある。
特許文献１においては、基準となるセルの光路長と使用するセルの光路長とを予め求めておき、基準となるセルの光路長に基づいて、使用するセルの光路長を補正する分光光度計が開示されている。
特許文献２においては、分光測定法において、各種出力変動を波長ごとに測定し、測定波長数の次元の空間におけるベクトルと考えて、全てのベクトルに直交する部分空間を求める分光測定法が開示されている。
特許文献３においては、複数のセルを用いて測定する光分析用多連装セルが開示されている。
【先行技術文献】
【特許文献】
【０００６】
【特許文献１】特開昭６４−５３１３３号公報
【特許文献２】特開平５−１８８２３号公報
【特許文献３】特開２００３−１２１３４４号公報
【発明の概要】
【発明が解決しようとする課題】
【０００７】
しかしながら、特許文献１に記載されている技術は、使用する全てのセルの光路長を正確に計測されている必要がある。しかし、セルの光路長を正確に計測することは容易ではない。そのため、分光光度計のユーザは、光路長が正確に計測されたセルを購入する必要があった。しかし、このセルは高価なため、コスト面で問題があった。
また、特許文献２に記載されている技術は、基準セル、測定セルおよびサンプルについて、複数の波長における測定が必要であり、更に、異なった複数のサンプルが必要であるため、溶液調製や測定準備の煩雑さが問題であった。
また、特許文献３に記載されている技術は、複数のセルを用いて測定するものであるが、複数のセルの光路長の個体差を補正する技術は開示されていない。
【０００８】
そこで、本発明は、セルの光路長を補正し、再現性の高い測定が可能な分光光度計および吸光光度測定法を提供することを課題とする。
【課題を解決するための手段】
【０００９】
前記課題を解決するため、本発明による分光光度計は、光源と、光源からの光を分光する分光器と、測定対象の試料を収容するセルと、前記試料を通過した光を検出する光検出器と、前記光検出器が検出したデータを処理および／または記憶するデータ処理・記憶部とを有する分光光度計であって、前記光検出器は、前記セルの光路長が既知である第一のセルおよび前記セルの光路長が未知である第二のセルを用いて、前記セルの光路長を吸光度から算出するための溶液である光路長測定用溶液の吸光度および試料溶液の吸光度を測定し、前記データ処理・記憶部は、前記第一のセルにおける前記光路長測定用溶液の吸光度および前記第一のセルの光路長を用いて、前記第二のセルの光路長を求め、前記第一のセルの光路長の逆数から、前記第二のセルの光路長を補正するための係数である光路長補正係数を求め、前記光路長補正係数を用いて前記試料の吸光度を補正すること、を特徴とする。
【発明の効果】
【００１０】
本発明によれば、セルの光路長を補正し、再現性の高い測定が可能な分光光度計および吸光光度測定法を提供することが可能になる。
【図面の簡単な説明】
【００１１】
【図１】分光光度計の光学系を概略的に示す図である。
【図２】多連装セルホルダ（ターレットタイプ）の一例を説明する図である。
【図３】多連装セルホルダ（ポジショナタイプ）の一例を説明する図である。
【図４】光路長補正係数を算出する手順を説明する図である。
【図５】試料の吸光度を測定して光路長補正係数により吸光度を補正する手順を説明する図である。
【発明を実施するための形態】
【００１２】
以降、本発明を実施するための形態（「本実施形態」という）を、図等を参照しながら詳細に説明する。また、本実施形態を説明するための全図において、同一部には原則として同一の符号を付し、その繰り返しの説明は省略する。
【００１３】
＜分光光度計の概略＞
図１は、分光光度計の光学系を概略的に示す図である。
光源１を出射した光７は分光器であるグレーティング（回折格子）２により、単色光８（光量：Ｉ０）に分光され、試料室内に設置されたセル３に照射される。このセル３には試料が収容されており、セル３を通過した光９（光量：Ｉ）は光検出器４に入射し、電気信号（データ）１０に変換されてデータ処理・記憶部５によりデータが処理および記憶され、処理結果等が表示部６に表示される。
【００１４】
このとき、セルに収容された試料の透過率Ｔ（百分率）は、下記の式（１）で示される。
Ｔ＝（Ｉ／Ｉ０）×１００      ・・・（１）
また、吸光度Ａは、下記の式（２）で示される。
Ａ＝ｌｏｇ１０（Ｉ０／Ｉ）      ・・・（２）
なお、吸光度Ａは、ランバート・ベールの法則（ブーケ・ベールの法則）に従うことが知られており、下記の式（３）で示される。
Ａ＝ε・ｃ・ｌ      ・・・（３）
ここで、εはモル吸光係数、ｃは試料のモル濃度、ｌは光路長である。
【００１５】
＜多連装セルホルダ＞
複数の試料を測定する場合、図２および図３に示すような、多連装セルホルダが使用される。
図２は、多連装セルホルダ（ターレットタイプ）の一例を説明する図である。図２に示す多連装セルホルダ１１ａは複数のセル設置部１２が円形に並んで設けられている。図中の符号１３で示す矢印は、多連装セルホルダ１１ａの動作方向を示している。多連装セルホルダ１１ａは、多連装セルホルダ１１ａの中心を軸として時計回りおよび反時計回りの両方向に回転可能である。多連装セルホルダ１１ａを回転させることにより、セル設置部１２に設置されたセルを順次測定することができる。
【００１６】
＜多連装セルホルダ（ポジショナタイプ）＞
図３は、多連装セルホルダ（ポジショナタイプ）の一例を説明する図である。図３に示す多連装セルホルダ１１ｂは複数のセル設置部１２が一列に並んで設けられている。図中の符号１３ｂで示す矢印は、多連装セルホルダ１１ｂの動作方向を示している。多連装セルホルダ１１ｂは、多連装セルホルダ１１ｂの長手方向に移動可能である。多連装セルホルダ１１ｂを移動させることにより、セル設置部１２に設置されたセルを順次測定することができる。
【００１７】
＜セルの光路長の算出および光路長補正係数＞
図２および図３に示したような多連装セルホルダ等を用いて複数の試料を測定する場合、複数のセルが用いられる。前記のように、セルの光路長には個体差があり、測定の再現性低下を引き起こしていた。前記した式（３）によれば、モル吸光係数およびモル濃度が既知である場合、吸光度を測定することでセルの光路長を算出することができる。しかし、モル吸光係数が既知である溶液を準備することは容易ではない。
【００１８】
そこで、本実施形態においては、分光光度計によって既知濃度の溶液の吸光度を測定し、各セルの光路長をランバート・ベールの法則（式（３））を用いて逆算する。そして、算出した各セルの光路長を用いて、試料の吸光度を所定の光路長の吸光度に補正する。
【００１９】
まず、分光光度計で測定可能な吸光度が得られる溶液（以下、光路長測定用溶液と呼ぶ）を調製する。そして、基準となる、光路長が既知であるセル（以下、基準セルと呼ぶ）に光路長測定用溶液を収容し、吸光度を測定する。得られた吸光度と基準セルの光路長から、ランバート・ベールの法則（式（３））を用いて、下記の式（４）に示すように、モル吸光係数とモル濃度との積を得ることができる。
ε・ｃ＝Ａ／ｌ      ・・・（４）
また、光路長は、下記の式（５）で示される。
ｌ＝Ａ／（ε・ｃ）      ・・・（５）
【００２０】
前記のように、セルの光路長には個体差があるため、光路長が１０ｍｍになるように製造されても、実際の光路長は１０ｍｍではないことがある。そこで、セルの実際の光路長（補正前の光路長）をｌｙとし、このセルを用いて測定した光路長測定用溶液の吸光度（補正前の吸光度）をＡｙとすると、前記した式（４）は、下記の式（６）で示される。
ε・ｃ＝Ａｙ／ｌｙ      ・・・（６）
また、このセルの補正後の光路長をｌｘとし、補正後の吸光度をＡｘとすると、前記した式（４）は、下記の式（７）で示される。
ε・ｃ＝Ａｘ／ｌｘ      ・・・（７）
【００２１】
前記した式（６）および式（７）より、補正前後の光路長および吸光度は、下記の式（８）の関係が成り立つ。
（Ａｙ／ｌｙ）＝（Ａｘ／ｌｘ）      ・・・（８）
前記した式（８）より、補正後の吸光度は、下記の式（９）で示される。
Ａｘ＝（１／ｌｙ）ｌｘＡｙ      ・・・（９）
この式（９）は、補正後の吸光度（Ａｘ）は、補正前の光路長（ｌｙ）の逆数と補正後の光路長（ｌｘ）と補正前の吸光度（Ａｙ）の積により算出することができることを示している。なお、（１／ｌｙ）ｌｘを、光路長補正係数（Ｆ）と呼ぶ。
光路長補正係数（Ｆ）とは、補正前の光路長（ｌｙ）を、補正後の光路長（ｌｘ）に換算（補正）するための係数である。この光路長補正係数と補正前後の光路長には、下記の式（１０）の関係が成り立つ。
ｌｘ＝Ｆｌｙ      ・・・（１０）
【００２２】
前記した各式により、分光光度計において複数のセル（セルＳ、セル１〜セルｎ）を用いて吸光度を測定する場合について説明する。セルＳは光路長が既知であり、基準セルである。セル１〜セルｎは光路長が未知である。
吸光度を測定する手順の概略は、光路長補正係数を算出し、試料の吸光度を測定して光路長補正係数により吸光度を補正するというものであり、それぞれの手順について図を参照して説明する。
【００２３】
＜光路長補正係数を算出する手順＞
まず、図４を参照して、光路長補正係数を算出する手順について説明する。図４は、光路長補正係数を算出する手順を説明する図である。
【００２４】
ステップＳ４０１において、分光光度計のユーザは、光路長測定用溶液のブランク試料を、セルＳおよびセル１〜セルｎに収容し、多連装セルホルダにセットする。なお、ブランク試料とは、測定対象とする物質を含有しない、溶媒のみの試料である。
ステップＳ４０２において、分光光度計は、ステップＳ４０１においてセットした光路長測定用溶液のブランク試料の吸光度（Ａｂｓ１）を測定し、データ処理・記憶部に記憶する。
【００２５】
ステップＳ４０３において、分光光度計のユーザは、光路長測定用溶液を、セルＳおよびセル１〜セルｎに収容し、多連装セルホルダにセットする。
光路長測定用溶液とは、前記したように、分光光度計で測定可能な吸光度が得られる溶液である。また、光路長測定用溶液とは、前記した各式によって、光路長を吸光度から算出するための溶液である。光路長測定用溶液は、分光光度計で測定可能な波長域に吸収のピークを持ち、溶媒に可溶であり、光に対して安定で、化学的および物理的にも安定な化合物の溶液である。光路長測定用溶液の一例としては、二クロム酸カリウム水溶液、二クロム酸カリウムの過塩素水溶液、無機塩類の水溶液、有機色素の水溶液などが挙げられる。
セル１〜セルｎの光路長を正確に測定するためには、分光光度計で測定可能な波長域において、分光光度計の感度の高い波長域に吸収を持つ化合物を光路長測定用溶液として用いることが好ましい。
【００２６】
ステップＳ４０４において、分光光度計は、ステップＳ４０３においてセットした光路長測定用溶液の吸光度（Ａｂｓ２）を測定し、データ処理・記憶部に記憶する。
ステップＳ４０５において、分光光度計のユーザは、基準セルであるセルＳの光路長（Ｌｃｅｌｌ）および補正後の光路長（Ｌｘ）を入力する。
ステップＳ４０６において、分光光度計は、データ処理・記憶部により、各セル（セルＳ、セル１〜セルｎ）の光路長補正係数Ｆを算出し、記憶する。
【００２７】
ここで、表１を参照して、図４において測定した吸光度や各セルの光路長補正係数Ｆについて説明する。
表１においては、ステップＳ４０２において測定した光路長測定用溶液のブランク試料の吸光度（Ａｂｓ１）をＺｃとし、ステップＳ４０４において測定した光路長測定用溶液の吸光度（Ａｂｓ２）をＣとし、セルＳの光路長をＬｃｅｌｌとし、換算したい（補正後の）光路長をＬｘとする。なお、Ｆ、ＺｃおよびＣの添え字は、「ｓ」がセルＳ、「１」がセル１、「ｎ」がセルｎを示す。
また、光路長測定用溶液の吸光度（Ａｂｓ２）から光路長測定用溶液のブランク試料の吸光度（Ａｂｓ１）を減算することによって、溶媒の影響を排除した吸光度を求めることができる。
【００２８】
【表１】
2013186004.tif 000003
【００２９】
セルＳの光路長補正係数ＦＳは、前記した式（１０）により、補正前の光路長（ｌｙ）をＬｃｅｌｌとし、補正後の光路長（ｌｘ）をＬｘとして、算出する。
【００３０】
セル１の光路長補正係数Ｆ１は、次のように算出する。まず、前記した式（８）により、セル１の光路長は、セル１の光路長をＬ１とした場合、セルＳの吸光度および光路長を用いて、下記の式（１１）で示される。
（Ｃ１−Ｚｃ１）／Ｌ１＝（Ｃｓ−Ｚｃｓ）／Ｌｃｅｌｌ
Ｌ１＝Ｌｃｅｌｌ（Ｃ１−Ｚｃ１）／（Ｃｓ−Ｚｃｓ）      ・・・（１１）
そして、前記した式（１０）により、補正前の光路長（ｌｙ）を式（１１）により算出したＬ１とし、補正後の光路長（ｌｘ）をＬｘとして、セル１の光路長補正係数を算出すると、下記の式（１２）のようになる。
Ｆ１＝Ｌｘ／｛Ｌｃｅｌｌ（Ｃ１―Ｚｃ１）／（Ｃｓ―Ｚｃｓ）｝
＝｛Ｌｘ（Ｃｓ―Ｚｃｓ）｝／｛Ｌｃｅｌｌ（Ｃ１―Ｚｃ１）｝
＝（Ｌｘ／Ｌｃｅｌｌ）（Ｃｓ―Ｚｃｓ）／（Ｃ１―Ｚｃ１）      ・・・（１２）
以降のセルも同様にして、光路長補正係数を算出する。
【００３１】
＜試料の吸光度を測定して光路長補正係数により吸光度を補正する手順＞
次に、図５を参照して、測定対象である試料の吸光度を測定して光路長補正係数により吸光度を補正する手順について説明する。図５は、試料の吸光度を測定して光路長補正係数により吸光度を補正する手順を説明する図である。
【００３２】
ステップＳ５０１において、分光光度計のユーザは、試料溶液のブランク試料を、セルＳおよびセル１〜セルｎに収容し、多連装セルホルダにセットする。なお、ブランク試料とは、測定対象とする物質を含有しない、溶媒のみの試料である。
ステップＳ５０２において、分光光度計は、ステップＳ５０１においてセットしたブランク試料の吸光度（Ａｂｓ３）を測定し、データ処理・記憶部に記憶する。
ステップＳ５０３において、分光光度計のユーザは、試料溶液を、セルＳおよびセル１〜セルｎに収容し、多連装セルホルダにセットする。
ステップＳ５０４において、分光光度計は、ステップＳ５０３においてセットした試料溶液の吸光度（Ａｂｓ４）を測定し、データ処理・記憶部に記憶する。
ステップＳ５０５において、分光光度計は、データ処理・記憶部により、光路長補正係数を用いて、補正後の吸光度（Ｄ）を算出し、データ処理・記憶部に記憶する。
ステップＳ５０６において、分光光度計は、ステップＳ５０５において算出した補正後の吸光度（Ｄ）を表示部に表示する。
【００３３】
ここで、表２を参照して、図５において測定した吸光度や吸光度の補正について説明する。
表２においては、ステップＳ５０２において測定した試料溶液のブランク試料の吸光度（Ａｂｓ３）をＺとし、ステップＳ５０４において測定した試料溶液の吸光度（Ａｂｓ４）をＭとし、補正後の試料の吸光度をＤとする。なお、その他の記号や添え字については、表１と同様である。
また、試料溶液の吸光度（Ａｂｓ４）から試料溶液のブランク試料の吸光度（Ａｂｓ３）を減算することによって、溶媒の影響を排除した吸光度（試料の吸光度）を求めることができる。
【００３４】
【表２】
2013186004.tif 000004
【００３５】
補正後の吸光度は、前記した式（９）により、光路長補正係数と補正前の吸光度との積で算出され、下記の式（１３）で示される。
Ａｘ＝ＦＡｙ      ・・・（１３）
【００３６】
セルＳの補正後の吸光度は、前記した式（１３）により、補正前の吸光度（Ａｙ）を（Ｍｓ−Ｚｓ）とし、光路長補正係数（Ｆ）を表１に記載の（Ｌｘ／Ｌｃｅｌｌ）とし、補正後の吸光度（Ａｘ）をＤｓとして算出する。
セル１〜セルｎも同様にして、補正後の吸光度を算出する。
【実施例１】
【００３７】
以下、実施例に基づいて、より詳細に説明する。
光路長測定用溶液のブランク試料として純水、光路長測定用溶液として二クロム酸カリウム水溶液、セルＳおよびセル１〜セル５を用いて、波長３５０．０ｎｍにおいて吸光度を測定し、図４および表１に基づいて光路長補正係数を算出した。なお、セルＳの光路長（Ｌｃｅｌｌ）は９．８７０ｍｍ、補正後の光路長（Ｌｘ）は１０．０００ｍｍとした。この結果を、表３に示す。
【００３８】
【表３】
2013186004.tif 000005
【００３９】
ここで、算出したセルの光路長補正係数は、小数点以下３桁目で異なっている。これは、セルの光路長には個体差があることを示している。この光路長補正係数を用いて、図５および表２に基づいて補正後の吸光度を算出した。
【００４０】
表４は、試料溶液として赤色色素水溶液を用いて、波長５０７．５ｎｍで測定した場合の吸光度である。
【００４１】
【表４】
2013186004.tif 000006
【００４２】
セルＳおよびセル１〜セル５の合計６つのセルを用いて波長５０７．５ｎｍで測定した赤色色素水溶液の補正前の光路長における吸光度（補正前の吸光度）は、平均１．０９２８、標準偏差０．００１１、相対標準偏差（％ＲＳＤ）０．１０であった。
一方、補正後の光路長における吸光度（補正後の吸光度）は、平均１．１０５３、標準偏差０．０００４、相対標準偏差（％ＲＳＤ）０．０４であった。
【００４３】
表５は、試料溶液として紫外線吸収剤の水溶液を用いて、波長２９１．０ｎｍで測定した場合の吸光度である。
【００４４】
【表５】
2013186004.tif 000007
【００４５】
セルＳおよびセル１〜セル５の合計６つのセルを用いて波長２９１．０ｎｍで測定した紫外線吸収剤の水溶液の補正前の光路長における吸光度（補正前の吸光度）は、平均０．５５０５、標準偏差０．０００８、相対標準偏差（％ＲＳＤ）０．１５であった。
一方、補正後の光路長における吸光度（補正後の吸光度）は、平均０．５５６８、標準偏差０．０００５、相対標準偏差（％ＲＳＤ）０．０９であった。
【００４６】
表６は、試料溶液として紫外線吸収剤の水溶液を用いて、波長２４５．０ｎｍで測定した場合の吸光度である。
【００４７】
【表６】
2013186004.tif 000008
【００４８】
セルＳおよびセル１〜セル５の合計６つのセルを用いて波長２４５．０ｎｍで測定した紫外線吸収剤の水溶液の補正前の光路長における吸光度（補正前の吸光度）は、平均０．２４１２、標準偏差０．０００６、相対標準偏差（％ＲＳＤ）０．２４であった。
一方、補正後の光路長における吸光度（補正後の吸光度）は、平均０．２４４０、標準偏差０．０００４、相対標準偏差（％ＲＳＤ）０．１７であった。
【００４９】
以上の結果から、補正前の光路長における吸光度よりも、補正後の光路長における吸光度の方が、各セルによる吸光度のばらつきが小さく、再現性の高い測定値（吸光度）を得られることがわかった。
【００５０】
＜まとめ＞
本実施形態においては、分光光度計によって既知濃度の溶液の吸光度を測定し、各セルの光路長をランバート・ベールの法則（式（３））を用いて逆算する。そして、算出した各セルの光路長を用いて光路長補正係数を求め、当該光路長補正係数を用いて試料の吸光度を補正する。
セルの光路長の個体差を補正し、補正後の光路長における吸光度（補正後の吸光度）を求めることにより、再現性の高い測定が可能な分光光度計および吸光光度測定法を提供することが可能である。
【００５１】
なお、前記した実施形態は、本発明を実施するための好適なものであるが、その実施形式はこれらに限定されるものではなく、本発明の要旨を逸脱しない範囲内において、種々変更することが可能である。
【００５２】
例えば、図４のステップＳ４０２およびステップＳ４０４ならびに図５のステップＳ５０２およびＳ５０４において吸光度を測定する際、１つのセルに対して吸光度の測定を複数回行い、その平均値または中央値をデータ処理・記憶部５に記憶することとしてもよい。または、１つのセルに対して吸光度の測定を複数回行い、測定値の最小値および最大値を排除して、残りの測定値の平均値または中央値をデータ処理・記憶部に記憶することとしてもよい。
【００５３】
また、図４および図５に示す手順は一例であり、各ステップの順序はこれに限るものではない。例えば、図４のステップＳ４０２およびステップＳ４０４ならびに図５のステップＳ５０２およびＳ５０４における吸光度の測定を先に行い、これらの測定の後に、光路長補正係数を求め、当該光路長補正係数を用いて補正後の吸光度（Ｄ）を求めることとしてもよい。
【００５４】
光路長補正係数を求めて吸光度を補正する方法は、前記した分光光度計による吸光度測定のみならず、透過率の測定においても適用することが可能である。この場合、表１および表２で算出した値を、下記の式（１４）および式（１５）により、吸光度（Ａ）を透過率（Ｔ）に変換したり、透過率（Ｔ）を吸光度（Ａ）に変換したりする。これにより、透過率についても、再現性の高い測定が可能となる。
Ａ＝２−ｌｏｇ１０Ｔ      ・・・（１４）
Ｔ＝１０（２−Ａ）      ・・・（１５）
【００５５】
また、この光路長補正係数を求めて吸光度を補正する方法は、単一の波長における吸光度測定のみならず、複数の波長における吸光度測定により得られた吸収スペクトルや透過スペクトルの測定、時間変化測定においても適用することが可能である。例えば、吸収スペクトルに適用する場合、各波長における吸光度を測定し、補正前の吸収スペクトルを求める。そして、光路長補正係数を求め、補正後の吸光度を求め、補正後の吸収スペクトルを求める（吸収スペクトルを補正する）。なお、光路長補正係数の算出の際、光路長測定用溶液の吸光度が安定して測定できる波長１つにおいて、光路長測定用溶液の吸光度を測定する。
【００５６】
前記した実施形態では、光路長が既知であるセルＳを基準セルとしたが、セルＳの正確な光路長が不明であっても、セルＳの光路長の公称値を用いることにより、再現性の高い測定が可能となる。セルＳの光路長の公称値とは、一般に公表されているセルの光路長であり、例えば、セルＳを購入する際にカタログや包装容器に記載されている光路長である。
セルＳの正確な光路長を用いる場合は、セルＳの光路長の公称値を用いる場合と比べて、より正確な吸光度が得ることが可能となる。
【符号の説明】
【００５７】
１    光源
２    グレーティング（分光器）
３    セル
４    光検出器
５    データ処理・記憶部
６    表示部
７    光源を出射した光
８    単色光
９    セルを通過した光
１０    電気信号
１１    多連装セルホルダ
１２    セル設置部
１３    多連装セルホルダの動作方向
【図１】
2013186004.tif 000009
【図２】
2013186004.tif 000010
【図３】
2013186004.tif 000011
【図４】
2013186004.tif 000012
【図５】
2013186004.tif 000013